【手続補正書】
【提出日】平成24年3月2日(2012.3.2)
【手続補正１】
【補正対象書類名】特許請求の範囲
【補正対象項目名】全文
【補正方法】変更
【補正の内容】
【特許請求の範囲】
【請求項１】
ＲＡＷ画像データと、該ＲＡＷ画像データに対して行われた現像処理に用いられた現像処理パラメータ群に関する属性情報であって、該現像処理を行った現像手段を特定できる情報を含む属性情報と、を取得する取得手段と、
前記取得手段で取得した前記属性情報に含まれる、前記現像手段を特定できる情報に基づき、前記取得手段で取得した前記ＲＡＷ画像データに対する現像処理を行うべき現像手段を検索する検索手段と、
前記検索手段で検索された前記現像手段に対して、前記ＲＡＷ画像データと、前記現像処理パラメータ群とを通知する通知手段と
を有することを特徴とする画像管理装置。
【請求項２】
前記取得手段で取得した前記属性情報に基づき、前記ＲＡＷ画像データに関連付けられた複数の現像処理パラメータ群のうち、前記ＲＡＷ画像データの現像処理に用いるべき現像処理パラメータ群を決定する決定手段をさらに有し、
前記検索手段は、前記決定手段で決定された前記現像処理パラメータ群に対応する前記現像手段を特定できる情報に基づき、前記ＲＡＷ画像データに対する現像処理を行うべき現像手段を検索し、
前記通知手段は、前記検索手段で検索された前記現像手段に対して、前記ＲＡＷデータと、前記決定手段で決定された前記現像処理パラメータ群とを通知することを特徴とする請求項１に記載の画像管理装置。
【請求項３】
少なくとも、現像手段を識別する識別情報と、該現像手段に対するアクセス方法とを関連付けて保持するテーブルをさらに有し、
前記現像手段を特定できる情報が前記識別情報であり、
前記検索手段は、前記属性情報に含まれる前記識別情報を用いて前記テーブルを参照して前記現像処理を行うべき現像手段を検索し、
前記通知手段は、前記テーブルにおいて、前記検索された現像手段に関連付けられた前記アクセス方法に従って前記通知を行うことを特徴とする請求項１または２に記載の画像管理装置。
【請求項４】
少なくとも、現像手段を識別する識別情報と、該現像手段に対するアクセス方法とを関連付けて保持するテーブルをさらに有し、
前記現像手段を特定できる情報が前記アクセス方法であり、
前記検索手段は、前記属性情報に含まれる、前記アクセス方法に基づき前記テーブルを参照して、前記現像処理を行うべき現像手段を検索する
ことを特徴とする請求項１または２に記載の画像管理装置。
【請求項５】
ネットワークを介して外部機器と通信を行う通信手段をさらに有し、
前記通知手段は、前記検索手段が検索した前記現像処理を行うべき現像手段が前記外部機器に存在する場合、前記通信手段を用いて、前記外部手段が有する現像手段に対して前記ＲＡＷ画像データと前記現像処理パラメータ群とを通知する
ことを特徴とする請求項１乃至請求項４の何れか１項に記載の画像管理装置。
【請求項６】
前記ＲＡＷ画像データには、前記現像処理パラメータ群が１つ以上関連付けられ、
前記１つ以上の現像処理パラメータ群から、１つの現像処理パラメータ群を選択する選択手段をさらに有し、
前記検索手段は、前記選択手段で選択された前記現像処理パラメータ群に対応する前記属性情報に含まれる前記現像手段を特定できる情報に基づき、前記現像処理を行うべき現像手段を検索する
ことを特徴とする請求項１乃至請求項５の何れか１項に記載の画像管理装置。
【請求項７】
前記属性情報は、該属性情報に対応する前記現像処理パラメータ群が作成または更新された日時を示す日時情報を含み、
前記選択手段は、前記属性情報に含まれる前記日時情報に基づき前記１つの現像処理パラメータ群を選択する
ことを特徴とする請求項６に記載の画像管理装置。
【請求項８】
前記属性情報は、該属性情報が対応する前記現像処理パラメータ群を作成または更新した編集者を示す編集者情報を含み、
前記選択手段は、前記属性情報に含まれる前記編集者情報に基づき前記１つの現像処理パラメータ群を選択する
ことを特徴とする請求項６に記載の画像管理装置。
【請求項９】
前記編集者情報を入力する入力手段をさらに有し、
前記選択手段は、前記入力手段に入力された前記編集者情報と一致する編集者情報を含む前記属性情報に対応する現像処理パラメータ群を、前記１つの現像処理パラメータ群として選択する
ことを特徴とする請求項８に記載の画像管理装置。
【請求項１０】
前記属性情報は、対応する現像処理パラメータ群を用いて前記ＲＡＷ画像に対する現像処理を行った結果の閲覧対象者を示す閲覧対象者情報を含み、
前記選択手段は、前記属性情報に含まれる前記閲覧対象者情報に基づき前記１つの現像処理パラメータ群を選択する
ことを特徴とする請求項６に記載の画像管理装置。
【請求項１１】
前記閲覧対象者情報を入力する入力手段をさらに有し、
前記選択手段は、前記入力手段に入力された前記閲覧対象者情報と一致する閲覧対象者情報を含む前記属性情報に対応する現像処理パラメータ群を、前記１つの現像処理パラメータ群として選択する
ことを特徴とする請求項１０に記載の画像管理装置。
【請求項１２】
前記属性情報は、対応する前記像処理パラメータ群を用いて編集者が前記ＲＡＷ画像に対して現像処理を行った結果の、該編集者によるお気に入り度を示す情報を含み、
前記選択手段は、前記属性情報に含まれる前記お気に入り度を示す情報に基づき前記１つの現像処理パラメータ群を選択する
ことを特徴とする請求項６に記載の画像管理装置。
【請求項１３】
前記属性情報が含む情報に対して優先順位を設定する設定手段をさらに有し、
前記選択手段は、前記属性情報が含む情報を前記優先順位に基づいて用いて前記１つの現像処理パラメータ群を選択する
ことを特徴とする請求項６に記載の画像管理装置。
【請求項１４】
前記検索手段は、複数の前記現像手段が検索された場合、検索された複数の現像手段の特性に基づいて１つの現像手段を前記現像処理を行うべき撮像手段として選択する
ことを特徴とする請求項１乃至請求項１３に記載の画像管理装置。
【請求項１５】
前記特性は、少なくとも、前記現像手段のバージョン、前記現像手段が外部機器に存在するか否か、ならびに、前記現像手段がＲＡＷ画像データに対して現像処理パラメータ群を用いて現像処理を行い出力画像を取得するのに要すると推定される出力推定時間のうち何れかである
ことを特徴とする請求項１４に記載の画像管理装置。
【請求項１６】
画像管理装置の制御方法であって、
取得手段が、ＲＡＷ画像データと、該ＲＡＷ画像データに対して行われた現像処理に用られた現像処理パラメータ群関する属性情報であって、該現像処理を行った現像手段を特定できる情報を含む属性情報と、を取得する取得ステップと、
検索手段が、前記取得ステップで取得された前記属性情報に含まれる前記現像手段を特定できる情報に基づき、前記取得ステップで取得された前記ＲＡＷ画像データに対する現像処理を行うべき現像手段を検索する検索ステップと、
通知手段が、前記検索ステップで検索された前記現像手段に対して、前記ＲＡＷ画像データと、前記現像処理パラメータ群とを通知する通知ステップとを有することを特徴とする画像管理装置の制御方法。
【請求項１７】
コンピュータを請求項１乃至請求項１５の何れか１項に記載の画像管理装置の各手段として機能させるためのプログラム。
【請求項１８】
請求項１７に記載のプログラムを記録したコンピュータ読み取り可能な記憶媒体。
【手続補正２】
【補正対象書類名】明細書
【補正対象項目名】発明の名称
【補正方法】変更
【補正の内容】
【発明の名称】画像管理装置およびその制御方法、ならびに、プログラムおよび記憶媒体
【手続補正３】
【補正対象書類名】明細書
【補正対象項目名】０００１
【補正方法】変更
【補正の内容】
【０００１】
本発明は、画像データを管理する画像管理装置およびその制御方法、ならびに、プログラムおよび記憶媒体に関する。
【手続補正４】
【補正対象書類名】明細書
【補正対象項目名】０００９
【補正方法】変更
【補正の内容】
【０００９】
したがって、本発明の目的は、ＲＡＷ画像に施された現像処理を適切に再生可能な画像管理装置およびその制御方法、ならびに、プログラムおよび記憶媒体を提供することにある。
【手続補正５】
【補正対象書類名】明細書
【補正対象項目名】００１０
【補正方法】変更
【補正の内容】
【００１０】
上述の目的は、ＲＡＷ画像データと、ＲＡＷ画像データに対して行われた現像処理に用いられた現像処理パラメータ群に関する属性情報であって、現像処理を行った現像手段を特定できる情報を含む属性情報と、を取得する取得手段と、取得手段で取得した属性情報に含まれる、現像手段を特定できる情報に基づき、取得手段で取得したＲＡＷ画像データに対する現像処理を行うべき現像手段を検索する検索手段と、検索手段で検索された現像手段に対して、ＲＡＷ画像データと、現像処理パラメータ群とを通知する通知手段と、を有することを特徴とする画像管理装置によって達成される。
【手続補正６】
【補正対象書類名】明細書
【補正対象項目名】００７４
【補正方法】変更
【補正の内容】
【００７４】
より詳細な例として、（１）この現像処理情報を生成した現像処理ソフトウェアに関する情報は、下記の情報を含む。
(a) この現像処理情報を生成した現像処理ソフトウェアの識別情報（ＩＤ）
(b) この現像処理情報のデータサイズ
(c) この現像処理情報を生成した現像処理ソフトウェアへのアクセス方法を示す情報
(d) この現像処理情報を生成した現像ソフトウェアのバージョン
【手続補正７】
【補正対象書類名】明細書
【補正対象項目名】０１３６
【補正方法】変更
【補正の内容】
【０１３６】
若し、Ｓ１２０２でフッタ識別子またはデータサイズ合計paramSizeSumが検出されなかったら、処理はＳ１２１１に移行される。そして、現像処理パラメータの読み込みに失敗したか、若しくは、現像処理パラメータが存在しないとされて、一連の処理が終了される。
【手続補正８】
【補正対象書類名】明細書
【補正対象項目名】０２２２
【補正方法】変更
【補正の内容】
【０２２２】
図１１のフローチャートのＳ１００３で現像処理情報の取得に成功すると、図１６のフローチャートのＳ１６００に処理が移行される。Ｓ１６００では、取得された現像処理情報が複数か否かを判定する。若し、取得した現像処理情報が１つであると判定されたら、この図１６による現像処理情報決定処理を終了し、図１１のフローチャートにおけるＳ１００４の処理へと進む。これは、現像処理情報が１つの場合には、一意に現像処理パラメータが決まるからである。